【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
ユーザからのレシピ検索をする操作を受け付ける第１受付手段と、  前記第１受付手段がレシピ検索をする操作を受け付けたことに応じて表示されたレシピの一覧からレシピを選択する操作を受け付ける第２受付手段と、  材料の状態遷移に必要な調理に関する動作であるアクションを実行可能な調理機器にアクションの開始をするように指示するための指示手段と、  前記第２受付手段の受け付けた操作に基づきレシピが選択された後、前記選択されたレシピに関する情報と、前記指示手段によって前記指示を行う調理機器に関する情報とを送信する送信手段とを有し、  前記指示手段による前記指示に応じて、前記送信手段の送信した前記レシピに関する情報と前記調理機器に関する情報とに基づくアクションが前記調理機器において実行されることを特徴とする端末装置。
【請求項２】
前記送信手段に送信された前記レシピに関する情報と、前記調理機器に関する情報とに基づき、前記調理機器の実行可能なアクションと前記レシピにおいて実行される必要のあるアクションとが一致する場合に、一致したアクションを前記調理機器が行うことを示すコマンドを前記端末装置に送信するサーバと、前記請求項１に記載の端末装置とを含むシステム。
【請求項３】
前記第２受付手段によってレシピが選択されたことに応じて、前記選択されたレシピをユーザが可読な状態で表示するように制御する制御手段とさらに有することを特徴とする請求項１に記載の端末装置。
【請求項４】
前記制御手段は、前記第２受付手段によってレシピが選択されたことに応じて、前記調理機器の制御をするためのボタンを表示するように制御することを特徴とする請求項３に記載の端末装置。
【請求項５】
前記第１受付手段の受け付けた操作に応じて検索されるレシピにおいては、必ずしもレシピにおいて実行される必要のあるアクションを行うべき調理機器が指定されていないことを特徴とする請求項１、３、４のいずれか１項に記載の端末装置。
【請求項６】
前記サーバにおいて、前記第２受付手段によってレシピが選択されたことに応じて、前記選択されたレシピが前記端末装置において表示されるレシピデータの形態から、機械が解読可能な形態へとレシピデータを変更することを特徴とする請求項２に記載のシステム。
【請求項７】
前記調理機器には、冷蔵庫、電子レンジ、オーブン、フードプロセッサー、ミキサー、炊飯器、電気鍋、電気フライヤー、電気蒸し器、製麺機、計量器、調理ロボットのいずれかが含まれることを特徴とする請求項１、３、５のいずれか１項に記載の端末装置。
【請求項８】
前記端末装置は、タブレット、スマートフォン、ラップトップ、フィーチャーフォン、ポータブルゲーム機、電子書籍リーダのいずれであることを特徴とする請求項１、３、５のいずれか１項に記載の端末装置。
【請求項９】
ユーザからのレシピ検索をする操作を受け付ける第１受付ステップと、  前記第１受付ステップにおいてレシピ検索をする操作を受け付けたことに応じて表示されたレシピの一覧からレシピを選択する操作を受け付ける第２受付ステップと、  材料の状態遷移に必要な調理に関する動作であるアクションを実行可能な調理機器にアクションの開始をするように指示するための指示ステップと、  前記第２受付ステップにおいて受け付けた操作に基づきレシピが選択された後、前記選択されたレシピに関する情報と、前記指示ステップにおける前記指示を行う調理機器に関する情報とを送信する送信ステップとを有し、  前記指示ステップにおける前記指示に応じて、前記送信ステップにおいて送信した前記レシピに関する情報と前記調理機器に関する情報とに基づくアクションが前記調理機器において実行されることを特徴とする端末装置の制御方法。
【請求項１０】
ユーザからのレシピ検索をする操作を受け付ける第１受付ステップと、  前記第１受付ステップにおいてレシピ検索をする操作を受け付けたことに応じてユーザの端末装置において表示されたレシピの一覧からレシピを選択する操作を受け付ける第２受付ステップと、  前記第２受付ステップにおいて受け付けた操作に基づきレシピが選択された後、前記選択されたレシピに関する情報と、材料の状態遷移に必要な調理に関する動作であるアクションを実行する調理機器に関する情報とを前記端末装置から受信する受信ステップとを有し、  前記受信ステップにおいて受信した前記レシピに関する情報と前記調理機器に関する情報とに基づき、前記レシピにおけるアクションを前記調理機器が実行可能な場合には、前記調理機器が担当することを示す制御コマンドを生成する生成ステップと、  前記制御コマンドを前記端末装置に送信する送信ステップを実行するサーバの制御方法。
【手続補正２】
【補正対象書類名】明細書
【補正対象項目名】発明の名称
【補正方法】変更
【補正の内容】
【発明の名称】端末装置、システム、サーバ及びその制御方法
【手続補正３】
【補正対象書類名】明細書
【補正対象項目名】０００１
【補正方法】変更
【補正の内容】
【０００１】  本開示は、端末装置、システム、サーバ及びその制御方法に関する。
【手続補正４】
【補正対象書類名】明細書
【補正対象項目名】０００７
【補正方法】変更
【補正の内容】
【０００７】  そこで、本発明は、機械可読性が高いレシピデータを用いて様々な機器を制御することを可能とする端末装置、システム、サーバ及びその制御方法を提供することを目的とする。
【手続補正５】
【補正対象書類名】明細書
【補正対象項目名】０００８
【補正方法】変更
【補正の内容】
【０００８】 上記目的を達成するために、本開示の一態様における端末装置は、ユーザからのレシピ検索をする操作を受け付ける第１受付手段と、前記第１受付手段がレシピ検索をする操作を受け付けたことに応じて表示されたレシピの一覧からレシピを選択する操作を受け付ける第２受付手段と、材料の状態遷移に必要な調理に関する動作であるアクションを実行可能な調理機器にアクションの開始をするように指示するための指示手段と、前記第２受付手段の受け付けた操作に基づきレシピが選択された後、前記選択されたレシピに関する情報と、前記指示手段によって前記指示を行う調理機器に関する情報とを送信する送信手段とを有し、前記指示手段による前記指示に応じて、前記送信手段の送信した前記レシピに関する情報と前記調理機器に関する情報とに基づくアクションが前記調理機器において実行されることを特徴とする。
【手続補正６】
【補正対象書類名】明細書
【補正対象項目名】０００９
【補正方法】変更
【補正の内容】
【０００９】 上記目的を達成するために、本開示の一態様における端末装置は、前記第２受付手段によってレシピが選択されたことに応じて、前記選択されたレシピをユーザが可読な状態で表示するように制御する制御手段とさらに有することを特徴とする。
【手続補正７】
【補正対象書類名】明細書
【補正対象項目名】００１０
【補正方法】変更
【補正の内容】
【００１０】 上記目的を達成するために、本開示の一態様における端末装置は、前記第２受付手段によってレシピが選択されたことに応じて、前記選択されたレシピをユーザが可読な状態で表示するように制御する制御手段とさらに有することを特徴とする。
【手続補正８】
【補正対象書類名】明細書
【補正対象項目名】００１１
【補正方法】変更
【補正の内容】
【００１１】 上記目的を達成するために、本開示の一態様における端末装置は、前記第２受付手段によってレシピが選択されたことに応じて、前記調理機器の制御をするためのボタンを表示するように制御することを特徴とする。
【手続補正９】
【補正対象書類名】明細書
【補正対象項目名】００１２
【補正方法】変更
【補正の内容】
【００１２】 上記目的を達成するために、本開示の一態様における端末装置は、前記第１受付手段の受け付けた操作に応じて検索されるレシピにおいては、必ずしもレシピにおいて実行される必要のあるアクションを行うべき調理機器が指定されていないことを特徴とする。
【手続補正１０】
【補正対象書類名】明細書
【補正対象項目名】００１３
【補正方法】変更
【補正の内容】
【００１３】  本発明によれば、機械可読性が高いレシピデータを用いて様々な機器を制御することを可能とする端末装置、システム、サーバ及びその制御方法を提供できる。